(57)【要約】【課題】堤防等の法面上に形成するパラペットを含めたコンクリートブロックの効率的な布設を可能とするコンクリートブロックの布設方法を提供する。【解決手段】基礎コンクリート１１の上に固定された法面基礎ブロック１２に形成された突出部１６の近傍に、第１法面コンクリートブロック２６がワイヤ３０によって吊り下げられた状態で移動してくる。第１法面コンクリートブロック２６の下方側側面には凹部２７が形成されており、対向する側面には凹部２７に合致する凸部２８が形成されている。第１法面コンクリートブロック２６の凹部２７を突出部１６上に当接させることによって、第１法面コンクリートブロック２６の設置の基準位置とする。そして第１法面コンクリートブロック２６の下面と均しコンクリート２３の上面との間にレベル調整具３２を配置してこれを調整することによって、第１法面コンクリートブロック２６の迅速且つ正確な布設が容易となる。【選択図】      図１
2004218348.tif 000002
【特許請求の範囲】
【請求項１】
堤防法面におけるコンクリートブロックの布設方法であって、
法面基礎ブロックを設置する工程と、
前記法面基礎ブロックから法面にかけて均しコンクリートを布設する工程と、
上面、下面及び４つの側面よりなるほぼ長方形平板形状の第１法面コンクリートブロックを、その１つの側面の一部が前記法面基礎ブロックの一部に当接するように載置する工程と、
前記載置された第１法面コンクリートブロックの位置を調整し、前記第１法面コンクリートブロックの下面と前記均しコンクリートの上面との間に第１の所定の空間を保持した状態で、第１法面コンクリートブロックを前記均しコンクリート上に支持する工程と、
前記第１の所定空間に生コンクリートを流し込む工程とを備えた、コンクリートブロックの布設方法。
【請求項２】
上面、下面及び４つの側面よりなるほぼ長方形平板形状の第２法面コンクリートブロックを、その１つの側面の一部が前記第１法面コンクリートブロックの前記側面に対向する側面の一部に当接するように載置する工程と、
前記載置された第２法面コンクリートブロックの位置を調整し、前記第２法面コンクリートブロックの下面と前記均しコンクリートの上面との間に第２の所定空間を保持した状態で第２法面コンクリートブロックを前記均しコンクリート上に支持する工程と、
前記第２の所定空間に生コンクリートを流し込む工程とを更に備えた、請求項１記載のコンクリートブロックの布設方法。
【請求項３】
請求項２記載の工程が更に繰返された、コンクリートブロックの布設方法。
【請求項４】
前記法面コンクリートブロックを支持する工程において、前記法面コンクリートブロックと前記均しコンクリートブロックとの間に配置された高さ調整可能なレベル調整具によって、前記法面コンクリートブロックは調整且つ支持される、請求項３記載のコンクリートブロックの布設方法。
【請求項５】
最終的に布設された第ｎ法面コンクリートブロックの前記側面に対向する側面の一部に、プレキャストされたパラペットの下方側端部の一部を載置する工程と、
前記載置されたパラペットの位置を調整し、前記パラペットの下面と前記均しコンクリートの上面との間に一定の空間を保持した状態で前記パラペットを前記均しコンクリート上に支持する工程と、
前記一定の空間に生コンクリートを流し込む工程とを更に備えた、請求項３又は請求項４記載のコンクリートブロックの布設方法。
【請求項６】
堤防法面におけるコンクリートブロックの布設方法であって、
法面に沿った法面コンクリートを布設する工程と、
前記布設された法面コンクリートの上方端部の一部に、プレキャストされたパラペットの下方側の端部の一部を載置する工程と、
前記載置されたパラペットの位置を調整し、前記パラペットの下面と前記法面との間に所定の空間を保持した状態で前記パラペットを前記均しコンクリート上に支持する工程と、
前記所定の空間に生コンクリートを流し込む工程とを備えた、コンクリートブロックの布設方法。
【発明の詳細な説明】
【０００１】
【発明の属する技術分野】
この発明はコンクリートブロックの布設方法に関し、特に堤防等の法面に形成されるコンクリートブロックの布設方法に関するものである。
【０００２】
【従来の技術】
図６は従来の堤防の概略構成断面図である。
【０００３】
図を参照して、堤防６１は断面台形形状の堤体２１を中心として構成されている。堤体２１の海側の部分と海底６６との境界部に、その下方に止水版が形成された法面基礎ブロック１２が設置されている。そして堤体２１の法面６２には、法面基礎ブロック１２にその下方部が接続する法面被覆コンクリート６３と、法面被覆コンクリート６３の上方部に接続する波返コンクリート６４とが形成されている。法面被覆コンクリート６３の海側の部分の下方には、根固部６８が形成されている。
【０００４】
従来の堤防にあっては、法面被覆コンクリート６３及び波返コンクリート６４が現場にて打設されていたため、広範囲な堤防を設置する際には、工期が長くかかっていた。特に、堤防のパラペットとなる波返コンクリート６４の部分の現場打設は、その特異断面形状から木枠等の準備に多大な時間がかかってしまい、全体的な工程をより遅延させていた。
【０００５】
そこで、このような工程の遅延を解消するために、法面被覆コンクリートをプレキャストブロックで順次布設する方法が提案されている。
【０００６】
図７は、このようなコンクリートブロックの布設方法を説明するための特許第２６１８８００号公報にて示されたコンクリートブロックの概略布設工程図である。
【０００７】
図を参照して、まず図７の（１）に示すように、基礎砕石７１等の基礎工事を行なった後、下地７２を造成する。次に現場付近に搬入された多数のコンクリートブロックのうち１つのコンクリートブロック７３ａを図示しないクレーン等を用いてワイヤ３０で吊り上げ、下地７２の表面に沿った所定の位置に仮配置する。
【０００８】
次に図７の（２）に示されているように、コンクリートブロック７３ａの四隅において、下地７２とコンクリートブロック７３ａとの間に手動式の油圧ジャッキ７４ａ，油圧ジャッキ７４ｂを配置する。次に、コンクリートブロック７３ａをこれらの油圧ジャッキ７４ａ，油圧ジャッキ７４ｂにより支持した後、ワイヤ３０を取外す。そして４つの油圧ジャッキ７４ａ，油圧ジャッキ７４ｂで高さを調整することによって、コンクリートブロック７３ａの表面の高さ位置及び傾き等の微調整を行なう。
【０００９】
次に、各油圧ジャッキ７４ａ，油圧ジャッキ７４ｂの近辺においてコンクリートブロック７３ａと下地７２の表面との間に高さ調整の可能なスペーサ７６ａ，スペーサ７６ｂを配置し、これらを高くすることによってコンクリートブロック７３ａの重量の一部をスペーサ７６ａ，スペーサ７６ｂで仮受けする。そして油圧ジャッキ７４ａ，油圧ジャッキ７４ｂを緩め、仮受けされたコンクリートブロック７３ａから油圧ジャッキ７４ａ，油圧ジャッキ７４ｂを取除く。これによって、コンクリートブロック７３ａが最終的な位置に配置される。
【００１０】
次に、上述のように配置されたコンクリートブロック７３ａに対して隣接するコンクリートブロック７３ｂについても、先に示した工程を同様に実施することにより、図７の（３）に示すように配置する。
【００１１】
そして、図７の（４）に示すように、コンクリートブロック７３ａ，コンクリートブロック７３ｂと下地７２との間の空間７５ａ，空間７５ｂに生コンクリート７７を流し込む。その後、適当数のコンクリートブロック７３を上述と同様に施工して配置し、その空間７５に生コンクリート７７を流し込む。これらを繰返すことにより、工事領域の全部にコンクリートブロック７３を配置し、各々の空間７５に生コンクリート７７を流し込んで養生する。生コンクリート７７が硬化することによってコンクリートブロックの布設工事が終了する。
【００１２】
【発明が解決しようとする課題】
上記のような従来のコンクリートブロックの布設方法では、コンクリートブロック各々に対してその全体のレベルを調整しなければならないため、設置に時間が掛かってしまう。又、下地７２との所定間隔を確保した上で、隣接するコンクリートブロック同志の上面を整列させることは容易ではない。
【００１３】
この発明は上記のような課題を解決するためになされたもので、堤防等の法面上に形成するパラペットを含めたコンクリートブロックの効率的な布設を可能とするコンクリートブロックの布設方法を提供することを目的とする。
【００１４】
【課題を解決するための手段】
上記の目的を達成するために、請求項１記載の発明は、堤防等の法面におけるコンクリートブロックの布設方法であって、法面基礎ブロックを布設する工程と、法面基礎ブロックから法面にかけて均しコンクリートを設置する工程と、上面、下面及び４つの側面よりなるほぼ長方形平板形状の第１法面コンクリートブロックを、その１つの側面の一部が法面基礎ブロックの一部に当接するように載置する工程と、載置された第１法面コンクリートブロックの位置を調整し、第１法面コンクリートブロックの下面と均しコンクリートの上面との間に第１の所定の空間を保持した状態で第１法面コンクリートブロックを均しコンクリートブロック上に支持する工程と、第１の所定の空間に生コンクリートを流し込む工程とを備えたものである。
【００１５】
このように構成すると、第１法面コンクリートブロックは、法面基礎ブロックに載置された一部を基準に位置調整が行なわれる。
【００１６】
請求項２記載の発明は、請求項１記載の発明の構成において、上面、下面及び４つの側面よりなるほぼ長方形平板形状の第２法面コンクリートブロックを、その１つの側面の一部が第１法面コンクリートブロックの側面に対向する側面の一部に当接するように載置する工程と、載置された第２法面コンクリートブロックの位置を調整し、第２法面コンクリートブロックの下面と均しコンクリートブロックの上面との間に第２の所定空間を保持した状態で第２法面コンクリートブロックを均しコンクリート上に支持する工程と、第２の所定空間に生コンクリートを流し込む工程とを更に備えたものである。
【００１７】
このように構成すると、第２法面コンクリートブロックは、第１法面コンクリートブロックに載置された一部を基準に位置調整が行なわれる。
【００１８】
請求項３記載の発明は、請求項２記載の工程が更に繰返されたものである。
【００１９】
このように構成すると、法面に応じて配置される法面コンクリートブロックのいずれも載置された一部を基準に位置調整が行なわれる。
【００２０】
請求項４記載の発明は、請求項３記載の発明の構成において、法面コンクリートブロックを支持する工程において、法面コンクリートブロックと均しコンクリートブロックとの間に配置された高さ調整可能なレベル調整具によって、法面コンクリートブロックは調整且つ支持されるものである。
【００２１】
このように構成すると、法面コンクリートブロックの高さ調整と支持とがレベル調整具によって行なわれる。
【００２２】
請求項５記載の発明は、請求項３又は請求項４記載の発明の構成において、最終的に布設された第ｎ法面コンクリートブロックの側面に対応する側面の一部にプレキャストされたパラペットの下方側端部の一部を載置する工程と、載置されたパラペットの位置を調整し、パラペットの下面と均しコンクリートの上面との間に一定の空間を保持した状態でパラペットを均しコンクリート上に支持する工程と、一定の空間に生コンクリートを流し込む工程とを更に備えたものである。
【００２３】
このように構成すると、パラペットは第ｎ法面コンクリートブロックに載置された一部を基準に位置調整が行なわれる。
【００２４】
請求項６記載の発明は、堤防等の法面におけるコンクリートブロックの布設方法であって、法面に沿った法面コンクリートを布設する工程と、布設された法面コンクリートの上方端部の一部に、プレキャストされたパラペットの下方側の端部の一部を載置する工程と、載置されたパラペットの位置を調整し、パラペットの下面と法面との間に所定の空間を保持した状態でパラペットを均しコンクリート上に支持する工程と、所定の空間に生コンクリートを流し込む工程とを備えたものである。
【００２５】
このように構成すると、パラペットは法面コンクリートブロックの上方端部に載置された一部を基準に位置調整が行われる。
【００２６】
【発明の効果】
以上説明したように、請求項１記載の発明は、第１法面コンクリートブロックは法面基礎ブロックに載置された一部を基準に位置調整が行なわれるため、第１法面コンクリートブロックの布設が容易となり、迅速且つ正確な布設工事が可能となる。
【００２７】
請求項２記載の発明は、請求項１記載の発明の効果に加えて、第２法面コンクリートブロックは第１法面コンクリートブロックに載置された一部を基準に位置調整が行なわれるため、第２法面コンクリートブロックの布設が容易となる。
【００２８】
請求項３記載の発明は、請求項２記載の発明の効果に加えて、法面コンクリートブロックのいずれもその一部を基準に位置調整が行なわれるため、法面の広さ等に関わらず、効率的な法面コンクリートブロックの布設が容易となる。
【００２９】
請求項４記載の発明は、請求項３記載の発明の効果に加えて、法面コンクリートブロックの高さ調整と支持とがレベル調整具によって行なわれるため、生コンクリートの流し込みまでクレーンによるワイヤ等で吊り下げておく必要がないため、クレーンを効率的に活用することができる。
【００３０】
請求項５記載の発明は、請求項３又は請求項４記載の発明の効果に加えて、パラペットは第ｎ法面コンクリートブロックに載置された一部を基準に位置調整が行なわれるため、プレキャストされたパラペットの布設が容易となり、全体的な堤防工事の工期を短縮化する。
【００３１】
請求項６記載の発明は、パラペットは法面コンクリートブロックの上方端部に載置された一部を基準に位置調整が行なわれるため、プレキャストされたパラペットの布設が可能となり、全体的な堤防工事の工期を短縮化する。
【００３２】
【発明の実施の形態】
図１から図３はこの発明の第１の実施の形態によるコンクリートブロックの布設方法による概略工程断面図である。
【００３３】
これらの図を参照して、図１の（１）に示されているように、法面基礎ブロック１２が配置される部分に基礎コンクリート１１を形成した後、その上に法面基礎ブロック１２を設置する。法面基礎ブロック１２はプレキャストされており、その上面には上部開口１４が形成され、その下方は下部開口１８として開放されている。又、法面基礎ブロック１２の右側上方部には突出部１６が形成されているとともに、突出部１６に隣接する部分は側部開口１５が形成されている。すなわち、法面基礎ブロック１２は、上部開口１４と下部開口１８と側部開口１５とによって外方と内方とが連通した状態となっている。
【００３４】
法面基礎ブロック１２を設置した後、法面基礎ブロック１２の上部開口１４等を通して所定量の生コンクリート１９を法面基礎ブロック１２内部に投入する。投入された生コンクリート１９は下部開口１８を介して基礎コンクリート１１上に充填され、硬化とともに法面基礎ブロック１２を基礎コンクリート１１に対して一体化させる。これによって法面基礎ブロック１２は、後述する法面の形成工事において基礎コンクリート１１に対して移動する虞がなく安定した工事が可能となる。
【００３５】
次に法面基礎ブロック１２を基準として堤体２１が形成され、その法面に基礎砕石２２が配置される。そして、基礎砕石２２の上面には現場にて均しコンクリート２３が打設され、基礎砕石２２による表面の凹凸を平坦化する。これによって堤体２１の法面表面には、平坦化された均しコンクリート２３が全面に形成されることになる。
【００３６】
次に図１の（２）に示されているように、法面を被覆する第１法面コンクリートブロック２６がワイヤ３０を介して吊り下げられ移動されてくる。第１法面コンクリートブロック２６はプレキャストされたものであり、上面、下面及び４つの側面よりなるほぼ長方形平板形状を有している。そして１つの側面の一部には凹部２７が形成されており、これに対向する側面には凹部２７の断面形状に合致する凸部２８が形成されている。
【００３７】
ワイヤ３０を介して吊り下げられてきた第１法面コンクリートブロック２６は、その凹部２７の部分が側部開口１５の上面に当接するように配置される。従ってこの状態で第１法面コンクリートブロック２６の凹部２７が基準となってその位置調整をすることができるため、従来のような四隅をすべて調整するものに比べてその位置合わせが迅速且つ正確となる。すなわち、この実施の形態においては、第１法面コンクリートブロック２６は凸部２８側の部分のレベル調整のみをすることによって、所望の位置に第１法面コンクリートブロック２６を均しコンクリート２３に対して配置することが容易となる。
【００３８】
そして図１の（３）に示されているように、第１法面コンクリートブロック２６の上方側の下面において、均しコンクリート２３との間にレベル調整具３２を設置する。
【００３９】
図４はこのレベル調整具３２の概略構造を示した拡大図である。
【００４０】
図を参照して、レベル調整具３２はターンバックル式ナット４８を中心として構成され、ターンバックル式ナット４８の上方には平頭ボルト４９がねじ込まれ、ターンバックル式ナット４８の下部には平頭ボルト４９とは反対方向のねじ山が切られた平頭ボルト５０がねじ込まれている。このようにレベル調整具３２は構成されており、ターンバックル式ナット４８をいずれか一方方向に回転させることによって平頭ボルト４９の上面と平頭ボルト５０の下面との距離が増減して、高さレベルの調整が可能となる。
【００４１】
従って、図１の（２）の状態で第１法面コンクリートブロック２６の下面の所定箇所にレベル調整具３２を配置しておき、その上に第１法面コンクリートブロック２６を降下させた後、レベル調整具３２を調整することによって第１法面コンクリートブロック２６を所定の高さに調整しつつ、その状態で保持することが可能となる。尚、このようにレベル調整具３２を配置して第１法面コンクリートブロック２６のレベル調整等を行なうと、ワイヤ３０のみでその高さを調整するものに比べて、不用意に第１法面コンクリートブロック２６が均しコンクリート２３上に落下する虞がないため、安全性も向上する。
【００４２】
次に図２の（１）に示されているように、レベル調整具３２の調整によって所定の位置に第１法面コンクリートブロック２６が配置されると、第１法面コンクリートブロック２６の下面と均しコンクリート２３の上面との間に形成された空間２９に向かって所定量の生コンクリート３５を流し込む。又、この時法面基礎ブロック１２の上部開口１４からも、法面基礎ブロック１２の内部が完全に充填されるように併せて生コンクリート３５を流し込む。尚、生コンクリート３５の流し込みにはレベル調整具３２を取付けた状態で行なうため、第１法面コンクリートブロック２６の均しコンクリート２３に対する位置関係がずれる虞はない。
【００４３】
図２の（２）に示されるように、法面基礎ブロック１２の内部及び第１法面コンクリートブロック２６の下面と均しコンクリート２３の上面との間に充填された生コンクリート３５が養生されて硬化することによって、これらは均しコンクリート２３に一体化されたコンクリートブロックを形成する。次に、第１法面コンクリートブロック２６とほぼ同一形状の第２法面コンクリートブロック３７が、ワイヤ３０によって吊り下げられて第１法面コンクリートブロック２６の近傍に移動する。
【００４４】
そして第２法面コンクリートブロック３７の下方側の凹部３８を第１法面コンクリートブロック２６の凸部２８上に当接するように位置調整を行う。これによって第２法面コンクリートブロック３７の凹部３８が設置の基準となるため、第２法面コンクリートブロック３７は第１法面コンクリートブロック２６と同様にその上方側の部分のみのレベル調整を行なえばよい。このようにして、第１法面コンクリートブロック２６の上面と第２法面コンクリートブロック３７の上面との整列もスムーズに調整される。そして第２法面コンクリートブロック３７の下面と均しコンクリート２３の上面との間に、第１法面コンクリートブロック２６と同様にレベル調整具３２を配置することによって、第２法面コンクリートブロック３７のレベル調整が迅速且つ正確に行われることになる。
【００４５】
第２法面コンクリートブロック３７のレベル調整が終了すると、その状態で第２法面コンクリートブロック３７の下面と均しコンクリート２３の上面との間に新たな生コンクリートを流し込むことによって、第２法面コンクリートブロック３７は均しコンクリート２３と一体化する。
【００４６】
このようにして均しコンクリート２３の範囲に応じて、上記の方法と同様に法面コンクリートブロックを順次布設して均しコンクリート２３に一体化させることが容易となる。法面コンクリートブロックの布設が終了すると、図３の（１）に示されているように、パラペット４２の設置を行なう。パラペット４２も法面コンクリートブロックと同様にプレキャストされたものが現場に搬入されているため、その特異な断面形状であっても現場打設が不要となり、工期の遅延をもたらす虞はない。そして、パラペット４２の下方側の端部には第ｎ法面コンクリートブロック４０の上方側の凸部２８に合致する形状の凹部４３が形成されている。
【００４７】
ワイヤ４４によって吊り下げられて移動してきたパラペット４２を、その凹部４３が法面の最上部に取付けられた第ｎ法面コンクリートブロック４０の凸部２８上に当接するように降下させる。これによってパラペット４２も同様に凹部４３の部分が高さ調整の基準となる。そして図３の（２）に示されているように、パラペット４２の下面の上方部と均しコンクリート２３の上面との間に、レベル調整具３２と同様のレベル調整具４６を配置して、パラペット４２の高さ調整を行なう。そしてパラペット４２の下面と均しコンクリート２３の上面との間に生コンクリート３５を流し込み、これを養生することによってパラペット４２は均しコンクリート２３と一体化する。このようにして、この実施の形態において、法面を構成する法面コンクリートブロック及びパラペットを迅速且つ正確に布設することが可能となる。
【００４８】
尚、上記の実施の形態では、図４に示したレベル調整具を用いてコンクリートブロックの支持及び高さ調整を行っているが、これに代えて図５に示したレベル調整具を用いても良い。
【００４９】
図５を参照して、レベル調整具５２はターンバックル式ナット４８を中心として構成され、ターンバックル式ナット４８の上方には全ネジボルト５３がねじ込まれ、ターンバックル式ナット４８の下部には全ネジボルト５３とは反対方向のねじ山が切られた平頭ボルト５０がねじ込まれている。そして、使用時には全ネジボルト５３は、第１法面コンクリートブロック２６等の下面に埋め込まれたインサート５４にその一部がねじ込まれた状態でセットされる。このようにレベル調整具５２は構成されており、ターンバックル式ナット４８をいずれか一方方向に回転させることによって全ネジボルト５３の上端部と平頭ボルト５０の下面との距離が増減して、コンクリートブロックの高さレベルの調整が可能となる。全ネジボルト５３はインサート５４にねじ込まれた状態で使用されるため、水平方向の力が加わっても第１法面コンクリートブロック２６等から不用意に脱落する虞がなく、布設工事の信頼性をより向上する。
【００５０】
尚、上記の実施の形態では、法面コンクリートブロックやパラペットの側面に特定形状の凹部及び凸部を形成しているが、同様の効果を奏するものであれば他の形状であっても良い。
【００５１】
又、上記の実施の形態では、高さ調整可能なレベル調整具を用いて法面コンクリートブロック等の高さ調整および支持をおこなっているが、従来例で示した油圧ジャッキやクレーンを用いても良い。
【００５２】
更に、上記の実施の形態では、法面基礎ブロック及び法面コンクリートブロックはいずれもプレキャストされたものを使用しているが、これらはいずれも現場打設によって形成した後、プレキャストされたパラペットを同様の設置方法で布設しても良い。
【００５３】
更に、上記の実施の形態では、堤防工事を前提としているが、パラペットの布設を除くと堤防のみならず河川等の法面の護岸工事にも同様に適用できることは言うまでもない。
【００５４】
更に、上記の実施の形態では、法面コンクリートブロック及びパラペットの下面には何も形成していないが、鉄筋をこれらに取り付けたりメタルラス等を配置して、生コンクリートとの一体化を向上させると共に、硬化した生コンクリートのひび割れ等を防止するように構成しても良い。
【００５５】
更に、上記の実施の形態では、法面基礎ブロックは基礎コンクリート上に設置されているが、基礎コンクリートを形成せずに地盤面に直接設置するようにしても良い。
【図面の簡単な説明】
【図１】この発明の第１の実施の形態によるコンクリートブロックの布設方法を説明するための概略工程図の一部である。
【図２】図１で示した工程図に続くコンクリートブロックの布設方法を説明するための概略工程図の他の一部である。
【図３】図２で示した工程図に続くコンクリートブロックの布設方法を説明するための概略工程図の更に他の一部である。
【図４】この発明の第１の実施の形態によるコンクリートブロックの布設方法に用いるレベル調整具の概略構成を示した拡大図である。
【図５】この発明の第１の実施の形態によるコンクリートブロックの布設方法に用いるレベル調整具の他の例による概略構成を示した拡大図である。
【図６】従来の堤防の概略構成を示す断面図である。
【図７】従来のコンクリートブロックの布設方法の概略工程を示した図である。
【符号の説明】
１２…法面基礎ブロック
１６…突出部
２３…均しコンクリート
２６…第１法面コンクリートブロック
２７，３８，４３…凹部
２８…凸部
２９…空間
３２，３３，４６，５２…レベル調整具
３５…生コンクリート
３７…第２法面コンクリートブロック
４０…第ｎ法面コンクリートブロック
４２…パラペット
尚、各図中同一符号は同一又は相当部分を示す。
【図１】
2004218348.tif 000003
【図２】
2004218348.tif 000004
【図３】
2004218348.tif 000005
【図４】
2004218348.tif 000006
【図５】
2004218348.tif 000007
【図６】
2004218348.tif 000008
【図７】
2004218348.tif 000009